(57)【要約】【課題】  複数種類の刈り込み作業に適用できるヘッジトリマーにおいて、偏心カムを削減する上で有効な技術を提供する。【解決手段】  ヘッジトリマーにおいて、本体部１０１に選択的に着脱自在とされた第１および第２の両刃駆動式ブレード装置１４１，１５１は、それぞれ、本体部への装着状態において第１、第２、第３のカム１３３，１３５，１３７のうちの２つと係合されて当該カムの回転動作に基づき対向状に往復動作する一対のブレードを有する。第１の両刃駆動式ブレード装置１４１が本体部に装着された状態では、一対のブレードは、第１および第２のカム１３３，１３５に係合される構成とし、第２の両刃駆動式ブレード装置１５１が本体部に装着された状態では、一対のブレードは、第２および第３のカム１３５，１３７に係合される構成とし、第２のカム１３５は、回転駆動装置の回転部材１２６に対し、第１の両刃駆動式ブレード装置駆動用として設定された第１の位置と、第２の両刃駆動式ブレード装置駆動用として設定された第２の位置とに変位可能に構成されている。【選択図】  図１
2005341885.tif 000002
【特許請求の範囲】
【請求項１】
回転駆動装置を収容する本体部と、
前記回転駆動装置の回転部材に装着される少なくとも第１、第２および第３のカムと、
前記本体部に選択的に着脱自在とされた少なくとも第１および第２の種類の両刃駆動式ブレード装置と、を有するヘッジトリマーであって、
前記第１および第２の両刃駆動式ブレード装置は、それぞれ、前記本体部への装着状態において前記カムのうちの２つと連結されて当該カムの回転動作に基づき対向状に往復動作することによって被切断物の切断作業を遂行する一対のブレードを有し、
前記第１の両刃駆動式ブレード装置が前記本体部に装着された状態では、当該第１の両刃駆動式ブレード装置の一対のブレードは、第１および第２のカムに連結される構成とし、
前記第２の両刃駆動式ブレード装置が前記本体部に装着された状態では、当該第２の両刃駆動式ブレード装置の一対のブレードは、第２および第３のカムに連結される構成とし、
前記第２のカムは、前記回転部材に対し、前記第１の両刃駆動式ブレード装置駆動用として設定された第１の位置と、前記第２の両刃駆動式ブレード装置駆動用として設定された第２の位置とに変位可能に構成されていることを特徴とするヘッジトリマー。
【請求項２】
請求項１に記載のヘッジトリマーであって、
前記第１および第２のカムは、当該第２のカムが前記第１の位置に装着された状態では、それら両カムの中心同士を結ぶ線分の中点が回転中心となるよう設定され、前記第２および第３のカムは、当該第２のカムが前記第２の位置に装着された状態では、それら両カムの中心同士を結ぶ線分の中点が回転中心となるよう設定されていることを特徴とするヘッジトリマー。
【請求項３】
請求項１または２に記載のヘッジトリマーであって、
前記各両刃駆動式ブレード装置は、一対のブレードが対向状に往復移動することを許容するように当該ブレードを保持するガイドプレートを介してユニット化され、前記ガイドプレートを、前記本体部に装着したとき、前記一対のブレードが対応する２つのカムに連結されるように構成したことを特徴とするヘッジトリマー。
【請求項４】
請求項１〜３のいずれかに記載のヘッジトリマーであって、
前記第１の両刃駆動式ブレード装置は、生垣の刈り込み作業に用いられる生垣用ブレード装置であって、一対のブレードが対向状に直線往復運動することで枝葉の切断作業を遂行する構成とされ、前記第２の両刃駆動式ブレード装置は、芝生の刈り込み作業に用いられる芝生用ブレード装置であって、一対のブレードが前記生垣用ブレード装置のブレードの移動方向と交差する方向に対向状に往復揺動運動することで芝の切断作業を遂行する構成とされていることを特徴とするヘッジトリマー。
【発明の詳細な説明】
【技術分野】
【０００１】
本発明は、例えば生垣の刈り込みあるいは街路樹の剪定等の園芸作業に用いられるヘッジトリマーに関し、詳しくはブレードの交換によって複数種類の刈り込み作業に適用することが可能なヘッジトリマーに関する。
【背景技術】
【０００２】
特開２００３−１１７２６７号公報（特許文献１）には、生垣の刈り込み作業と芝生の刈り込み作業に適用することが可能なヘッジトリマーに関する技術が開示されている。上記公報記載のヘッジトリマーは、上下に配置される２枚のブレードの両方をそれぞれ駆動する両刃駆動式であって、回転駆動装置を備えた本体と、生垣の刈り込み作業に用いられる生垣用のブレードユニットと、芝生の刈り込み作業に用いられる芝生用のブレードユニットとから構成されている。そして本体に対し、生垣用のブレードユニットと芝生用のブレードユニットを交換することによって生垣あるいは芝生の刈り込み作業を遂行できる構成としている。このようなヘッジトリマーによれば、ブレードユニットの交換によって、生垣と芝生の刈り込み作業に適用できるため、専用機に比べて経済的であり、しかもブレードの両方を駆動する両刃駆動式であることから、ブレードの一方を駆動する片刃駆動式に比べて高速で刈り込み作業を遂行することができるといった利点を有する。
【０００３】
ところで、生垣の刈り込み作業に適用されるブレードが、使用者から見て前後方向に直線状に往復動作して枝葉を切断するのに対し、芝生の刈り込み作業に適用されるブレードは、生垣用ブレードの移動方向と直交する方向である左右方向に円弧状に往復揺動動作して芝生を切断する構成である。そして上述した公報記載の従来のヘッジトリマーの場合、ブレードのみならず、当該ブレードを往復動作させるカムをも含めたユニット構造とし、このユニット構造のブレード、すなわちブレードユニットを交換することで、生垣と芝生の刈り込み作業を可能としている。しかしながら、ブレードユニットはそれぞれが専用のカムを備える構成であり、ブレードの枚数に対応する数の専用のカムが必要になる。その結果、構造が複雑化し、コストがアップし、あるいは重量が増大することとなり、この点でなお改良の余地がある。
【特許文献１】特開２００３−１１７２６７号公報
【発明の開示】
【発明が解決しようとする課題】
【０００４】
本発明は、かかる点に鑑みてなされたものであり、複数種類の刈り込み作業に適用できるヘッジトリマーにおいて、カムを削減する上で有効な技術を提供することを目的とする。
【課題を解決するための手段】
【０００５】
上記課題を達成するため、各請求項記載の発明が構成される。
請求項１に記載の発明によれば、回転駆動装置を収容する本体部と、回転駆動装置の回転部材に装着される少なくとも第１、第２、第３のカムと、本体部に選択的に着脱自在とされた少なくとも第１および第２の種類の両刃駆動式ブレード装置と、を有するヘッジトリマーが構成される。ここで「回転駆動装置の回転部材」とは、例えば駆動源としての電動モータの回転出力をカム装置に伝達するために備えられる回転駆動装置において、当該回転出力をカムに直接伝達する回転部材を指し、典型的には従動歯車あるいは当該従動歯車と一体回転する回転軸を好適に包含する。また「カム」としては、典型的には偏心カム（円盤カム）を用いるが、当該偏心カムに限らず、ハートカム、接線カム、ヨークカム等を好適に用いることが可能である。要するにカムは、回転運動を従動側のブレード装置に動力を伝達できる構成であればよく、形状につき特定するものではない。また「選択的に着脱自在」とは、第１の種類の両刃駆動式ブレード装置が装着されている状態では、第２の種類の両刃駆動式ブレード装置が取り外され、第２の種類の両刃駆動式ブレード装置が装着されている状態では、第１の種類の両刃駆動式ブレード装置が取り外されている状態を指し、いわゆる交換装着が可能な構成を意味する。
【０００６】
本発明におけるヘッジトリマーによれば、特徴的な構成として、第１および第２の両刃駆動式ブレード装置は、それぞれ、本体部への装着状態においてカムのうちの２つと連結されて当該カムの回転動作に基づき対向状に往復動作することによって被切断物の切断作業を遂行する一対のブレードを有し、第１の両刃駆動式ブレード装置が本体部に装着された状態では、当該第１の両刃駆動式ブレード装置の一対のブレードは、第１および第２のカムに連結される構成とし、第２の両刃駆動式ブレード装置が本体部に装着された状態では、当該第２の両刃駆動式ブレード装置の一対のブレードは、第２および第３のカムに連結される構成としている。また第２のカムは、回転部材に対し、第１の両刃駆動式ブレード装置駆動用として設定された第１の位置と、第２の両刃駆動式ブレード装置駆動用として設定された第２の位置とに変位可能に構成されている。
なお「一対のブレード」とは、互いに重なり合うように配置された２枚のブレードを指し、典型的には２枚のブレードが重なり合って直線状に往復移動する生垣用のブレード、あるいは２枚のブレードが重なり合って円弧状に往復移動される芝生用のブレードがこれに該当する。また「変位可能」の形態としては、回転部材に対し第２のカムが単独で変位する態様、あるいは第１および第３のカムと一体状に変位する態様のいずれをも好適に包含する。また回転部材に対してカムを付け替えることで変位する態様、装着したままの状態で位置を変える態様のいずれも好適に包含する。
【０００７】
本発明のヘッジトリマーによれば、第１および第２の種類の両刃駆動式ブレード装置を適宜交換することによって異なる種類の刈り込み作業に適用することができる。この場合において、本発明では、第１、第２、および第３のカムのうちの第２のカムを、第１および第２の両刃駆動式ブレード装置の駆動用として共用できるため、カム数を従来に比べて減らすことが可能となった。その結果、ヘッジトリマーにつき構造の簡素化、コストの低減、あるいは軽量化を図ることが可能となった。
【０００８】
（請求項２に記載の発明）
請求項２に記載の発明によれば、請求項１に記載のヘッジトリマーにおける第１および第２のカムは、当該第２のカムが第１の位置に装着された状態では、それら両カムの中心同士を結ぶ線分の中点が回転中心となるよう設定され、第２および第３のカムは、当該第２のカムが第２の位置に装着された状態では、それら両カムの中心同士を結ぶ線分の中点が回転中心となるよう設定された構成とされる。このような構成とすることにより、使用すべき両刃駆動式ブレード装置に対応した好適な偏心量のカム位置が設定されることになる。これにより両刃駆動式ブレード装置の性能を維持しつつ異なる被切断物の切断作業に適用し得るヘッジトリマーを提供することが可能となる。
【０００９】
（請求項３に記載の発明）
請求項３に記載の発明によれば、請求項１または２に記載のヘッジトリマーにおける各両刃駆動式ブレード装置は、一対のブレードが対向状に往復移動することを許容するように当該ブレードを保持するガイドプレートを介してユニット化されている。そしてガイドプレートを、本体部に装着したとき、一対のブレードが対応する２つのカムに連結されるように構成されている。請求項３の発明によれば、各両刃駆動式ブレード装置がユニット構造とされており、これにより本体部に対する交換作業を簡単に行うことができる。
【００１０】
（請求項４に記載の発明）
請求項４に記載の発明によれば、請求項１〜３のいずれかに記載のヘッジトリマーにおいて、第１の両刃駆動式ブレード装置は、生垣の刈り込み作業に用いられる生垣用ブレードであって、一対のブレードが対向状に直線往復運動することで枝葉の切断作業を遂行する構成とされ、第２の両刃駆動式ブレード装置は、芝生の刈り込み作業に用いられる芝生用ブレード装置であって、一対のブレードが生垣用ブレード装置のブレードの移動方向と交差する方向に対向状に往復揺動運動することで芝の切断作業を遂行する構成とされている。かかる構成によれば、一台のヘッジトリマーを用いて生垣の刈り込み作業と芝生の刈り込み作業を適宜選択的に遂行することができる。
【発明の効果】
【００１１】
本発明によれば、複数種類の異なる刈り込み作業に適用できるヘッジトリマーにおいて、カムを削減する上で有効な技術が提供されることとなった。
【発明を実施するための最良の形態】
【００１２】
以下、本発明の実施の形態につき、図面を参照しつつ、詳細に説明する。
本実施の形態に係るヘッジトリマー１００の全体構成が図１、図２および図５に側断面図として示され、またヘッジトリマー１００の底面（下面）側の構成が図３および図６に示される。図１、図２および図３は、ヘッジトリマー１００に生垣用ブレード装置１４１が装着された場合を示し、図５および図６はヘッジトリマー１００に芝生用ブレード装置１５１が装着された場合を示している。また図２は偏心カム１３１を図１に示す状態から概ね９０度回転させたときの状態を示している。図４はカム装置１３１を生垣の刈り込み作業に用いる場合の取付位置を説明する図であり、図７はカム装置１３１を芝生の刈り込み作業に用いる場合の取付位置を説明する図である。また図８はカム装置１３１を説明するための底面側から見た図である。
【００１３】
本実施の形態に係るヘッジトリマー１００の全体構成につき図１、図２および図５を参照して説明する。ヘッジトリマー１００の本体部１０１は、ハウジング１０３と、当該ハウジング１０３の後側（図１および図２の左側）に配置されるハンドル（ハンドグリップ）１０５を主体に構成される。ハウジング１０３内には、電動モータ１１１および当該電動モータ１１１の回転出力を適宜減速してカム装置１３１に伝達する回転駆動装置１２１が収容配置されている。回転駆動装置１２１の下方には、カム装置１３１が配置され、このカム装置１３１に対して、両刃駆動式の生垣用ブレード装置１４１（図１〜図３参照）あるいは芝生用ブレード装置１５１（図５および図６参照）が選択的に係合される構成とされる。カム装置１３１に係合された生垣用ブレード装置１４１あるいは芝生用ブレード装置１５１は、当該カム装置１３１の回転駆動に基づき２枚のブレード１４２，１４３，１５２，１５３が対向状に往復移動されて生垣あるいは芝生の刈り込み作業を遂行する構成とされる。上記の生垣用ブレード装置１４１および芝生用ブレード装置１５１が本発明における「両刃駆動式ブレード装置」に対応する。また上記の２枚のブレード１４２，１４３，１５２，１５３が本発明における「一対のブレード」に対応する。
【００１４】
次に各機構部の詳細につき説明する。電動モータ１１１は、出力軸１１３を下側にして回転軸線が上下方向（縦向き）となるように配置され、出力軸１１３の先端部（下端部）にはピニオン１１５が形成されている。ハンドル１０５には、電動モータ１１１の通電駆動用の電源スイッチ１０７を操作するトリガ１０９が備えられている。
【００１５】
回転駆動装置１２１は、出力軸１１３のピニオン１１５に噛み合い係合するとともに、第１支軸１２２を回転中心として水平面内にて回転する中間大ギア１２３、当該中間大ギア１２３に一体に形成された中間小ギア１２４、中間小ギア１２４に噛み合い係合するとともに、第２支軸１２５を回転中心として水平面内にて回転される従動ギア１２６を主体に構成される。なお第１支軸１２２および第２支軸１２５は、出力軸１１３と平行（軸線が鉛直方向）に配置される。また第２支軸１２５の下部側は、従動ギア１２６の下面から所定長さで突出されており、この突出部分が後述するカム装置１３１の取付軸部１２７とされている。上記の従動ギア１２６は、本発明における「回転部材」に対応する。
【００１６】
カム装置１３１は、図４、図７および図８に示すように、上下方向に互いに重なり合うように配置された３枚の偏心カム（円盤カム）１３３，１３５，１３７によって構成されている。各偏心カム１３３，１３５，１３７は、２本の接合ピン１３９によって相互に接合されて一体化されている。上側（モータ側）に位置する上部偏心カム１３３（図８中の最も奥側に示される）と、中間に位置する中間偏心カム１３５が、生垣用ブレード装置１４１の駆動用として備えられ、中間偏心カム１３５と下側（底側）に位置する下部偏心カム１３７（図８中の最も手前側に最小径の円で示される）が、芝生用ブレード装置１５１の駆動用として備えられている。
すなわち、本実施の形態では、両刃駆動式ヘッジトリマーにおけるツインカムの上下いずれか一方に三番目のカムを追加することでトリプルカムとしたものであり、中間偏心カム１３５が生垣用ブレード装置１４１と芝生用ブレード装置１５１に共用される構成とされる。また本実施の形態では、上部偏心カム１３３と中間偏心カム１３５は、概ね外径が等しい円板で形成されており、これに対し下部偏心カム１３７は、後述の生垣用ブレード装置１４１に形成される長円孔１４２ｂ，１４３ｂが通り抜けることが可能な小径の円板で形成されている。上記の上部偏心カム１３３が本発明における「第１の偏心カム」に対応し、中間偏心カム１３５が本発明における「第２の偏心カム」に対応し、下部偏心カム１３７が本発明における「第３の偏心カム」に対応する。
【００１７】
図８に示すように、各偏心カム１３３，１３５，１３７には、生垣刈り込み作業時用の第１取付孔１３４と、芝生刈り込み作業時用の第２取付孔１３６が設けられている。第１取付孔１３４は、上部偏心カム１３３の中心Ｐ１と中間偏心カム１３５の中心Ｐ２とを結ぶ直線Ａ上の中間位置、すなわち中心間距離の中点Ｑ１に設けられている。また第２取付孔１３６は、中間偏心カム１３５の中心Ｐ２と下部偏心カム１３７の中心Ｐ３とを結ぶ直線Ａ上の中間位置、すなわち中心間距離の中点Ｑ２に設けられている。両取付孔１３４，１３６は、同一径に設定された円形の孔であり、前述した回転駆動装置１２１における第２支軸１２５の取付軸部１２７に対して着脱自在に嵌合される。すなわち、各偏心カム１３３，１３５，１３７は、第２支軸１２５の取付軸部１２７に対し、第１取付孔１３４と第２取付孔１３６とのいずれかを嵌め変えることにより、取付位置が変位可能に構成されており、取付軸部１２７に第１取付孔１３４を嵌合したときの位置が本発明における「第１の位置」に対応し、第２取付孔１３４を嵌合したときの位置が本発明における「第２の位置」に対応する。
【００１８】
第１取付孔１３４を第２支軸１２５の取付軸部１２７に嵌合したときは（図４参照）、当該第１取付孔１３４の中心である中点Ｑ１が各偏心カム１３３，１３５，１３７の回転中心となり、この中点Ｑ１から上部偏心カム１３３の中心Ｐ１までの距離と、中点Ｑ１から中間偏心カム１３５の中心Ｐ２までの距離が、互いに等しい偏心量Ｅ１となる。一方、第２取付孔１３６を第２支軸１２５の取付軸部１２７に嵌合したときは（図７参照）、当該第２取付孔１３６の中心である中点Ｑ２が各偏心カム１３３，１３５，１３７の回転中心となり、この中点Ｑ２から中間偏心カム１３５の中心Ｐ２までの距離と、中点Ｑ２から下部偏心カム１３７の中心Ｐ３までの距離が、互いに等しい偏心量Ｅ２となる。なお芝生用として設定される偏心量Ｅ２は、生垣用として設定される偏心量Ｅ１よりも小さい値に設定されている。
【００１９】
図２に示すように、上記の３枚の偏心カム１３３，１３５，１３７は、当該偏心カム１３３，１３５，１３７を貫通して、例えば蝋付けによって接合された２本の接合ピン１３９によって周方向に位置決めされた状態で接合されている。２本の接合ピン１３９は、上部偏心カム１３３の上面から所定長さで突出されており、第２支軸１２５の取付軸部１２７に各偏心カム１３３，１３５，１３７を嵌合する際、突出部分が従動ギア１２６に形成された位置決め孔に遊嵌状に挿入され、これにより、当該偏心カム１３３，１３５，１３７が従動ギア１２６に対して回り止め状態にセットされる。かくして、３枚の偏心カム１３３，１３５，１３７は、第２支軸１２５を回動支点にして従動ギア１２６とともに水平回転される構成とされる。
【００２０】
次に生垣の刈り込み作業に用いられる生垣用ブレード装置１４１の構成および当該生垣用ブレード装置１４１のヘッジトリマー１００に対する装着構造につき図１〜図３を参照して説明する。この場合、偏心カム１３３，１３５，１３７は、生垣用ブレード装置１４１の使用に対応するべく、図４に示すように、第１取付孔１３４を回転駆動装置１２１における第２支軸１２５の取付軸部１２７に嵌合した状態で従動ギア１２６にセットされる。
【００２１】
生垣用ブレード装置１４１は、平面視で略帯板状に形成されるとともに、互いに重なり合う状態で同一水平軸線上に配置される上下２枚のブレード１４２，１４３と、当該２枚のブレード１４２，１４３が対向状に直線往復移動することを許容するように当該ブレード１４２，１４３を両側から挟着保持する上下２枚のガイドプレート１４４，１４５とからなるユニット構造とされている。なお上下のブレード１４２，１４３は、図３に示すように、基部側（図示左側）を除いた領域には、櫛刃状の切刃１４２ａ，１４３ａを有する。上下のガイドプレート１４４，１４５は、当該ガイドプレート１４４，１４５間に介在されるスリーブ１４６、ガイドプレート１４４，１４５および当該スリーブ１４６を貫通するネジ（ボルト）１４７、当該ネジ１４７に締結されるナット１４８から構成される接合手段によって接合され、スリーブ１４６がブレード１４２，１４３に形成された移動方向に延びる長孔１４２ｃ、１４３ｃに対し相対的に摺動自在に貫通される。これにより上下のガイドプレート１４４，１４５は、ブレード１４２，１４３の移動を許容する形態で互いに接合される。
【００２２】
生垣用ブレード装置１４１は、ハウジング１０３の下面側（底面側）に形成された装着部１０３ａ（図３参照）に対し、下側のガイドプレート１４５の基部を取付ネジ１４９によって適数箇所を着脱自在に止着することで装着される。この装着状態では、切刃側がハウジング１０３の前方（図１〜３における右側）に水平状に延出される。上下のブレード１４２，１４３の基部（図１および図２の左側）には、それぞれ左右方向（ブレード１４２，１４３の移動方向と交差する方向）を長軸方向とする長円孔１４２ｂ，１４３ｂ（図３参照）が形成されており、生垣用ブレード装置１４１をハウジング１０３に装着した状態で、上側の長円孔１４２ｂが上部偏心カム１３３に係合され、下側の長円孔１４３ｂが中間偏心カム１３５に係合される構成とされる。係る構成により、いわゆるクランク機構が構成され、上部および中間の偏心カム１３３，１３５が回転されることで上下のブレード１４２，１４３が対向状（逆位相で）に水平直線往復運動を行う構成とされる。
【００２３】
上記のように生垣用ブレード装置１４１を装着したときは、トリガ１０９の引き操作によって電源スイッチ１０７が投入（オン）され、これにより電動モータ１１１が通電駆動されると、ピニオン１１５から中間大ギア１２３および中間小ギア１２４を介して従動ギア１２３が水平面内にて回転され、これに伴いカム装置１３１の各偏心カム１３３，１３５，１３７が共に水平面内を回転運動される。従って、上部偏心カム１３３および中間偏心カム１３５に係合する上下のブレード１４２，１４３は、互いに逆方向（逆位相で）に水平直線往復運動を行い、上側のブレード１４２の切刃１４２ａと、下側のブレード１４３の切刃１４３ａ間に被切断物としての枝葉を挟んで切断する。このとき、上下のブレード１４２，１４３は、前述したように、上部偏心カム１３３および中間偏心カム１３５の偏心量Ｅ１の２倍の移動量で移動する。
【００２４】
次に芝生の刈り込み作業に用いられる芝生用ブレード装置１５１の構成および当該芝生用ブレード装置１５１のヘッジトリマー１００に対する装着構造につき図５および図６を参照して説明する。この場合、偏心カム１３３，１３５，１３７は、芝生用ブレード装置１５１の使用に対応するべく、図７に示すように、第２取付孔１３６を回転駆動装置１２１における第２支軸１２５の取付軸部１２７に嵌合した状態で従動ギア１２６にセットされる。
【００２５】
芝生用ブレード装置１５１は、平面視で略Ｔ字形に形成されるとともに互いに重なり合うように配置される上下２枚のブレード１５２，１５３と、下側のブレード１５３の下面（底面）側に配置されるガイドプレート１５４とからなり、それらブレード１５２，１５３およびガイドプレート１５４が１本の連結ピン１５５により水平面内にて相対的に回動自在に連結されたユニット構造とされている。上下のブレード１５２，１５３は、図６に示すように、先端側に櫛刃状の切刃１５２ａ，１５３ａを有する。
【００２６】
芝生用ブレード装置１５１は、ハウジング１０３の下面側（底面側）に形成された装着部１０３ａ（図６参照）に対し、基部側が樹脂製のアンダーカバー１５６を介して取付ネジ１４９（生垣用ブレード装置１４１の装着に用いられる取付ネジ１４９）によって着脱自在に止着することで装着される構成とされる。上下のブレード１５２，１５３の基部側には、それぞれ前後方向（ブレード１５２，１５３の移動方向と交差する方向）を長軸方向とする長円孔１５２ｂ，１５３ｂが形成されている。上側のブレード１５２の長円孔１５２ｂは、中間偏心カム１３５に係合する寸法に形成され、下側のブレード１５３の長円孔１５３ｂは、下部偏心カム１３７に係合する寸法（従って、上側のブレード１５２の長円孔１５２ｂよりも小さい）に形成されている。すなわち、芝生用ブレード装置１５１を使用するときは、中間偏心カム１３５に上側のブレード１５２の長円孔１５２ｂが係合され、下部偏心カム１３７に下側のブレード１５３の長円孔１５３ｂが係合される。係る構成により、いわゆるクランク機構が構成され、中間および下部の偏心カム１３５，１３７の水平回転に伴い上下のブレード１５２，１５３が連結ピン１５５を中心として対向状（逆位相で）に円弧状に水平揺動往復運動を行う構成とされる。
【００２７】
なお芝生用ブレード装置１５１を使用する場合は、下側２枚の偏心カム１３５，１３７を使用する関係で、ハウジング１０３の下面と芝生用ブレード装置１５１の上面間に間隙が生ずる。そこで本実施の形態では、ハウジング１０７の下面とアンダーカバー１５６の上面間に上記の間隙を詰めるべくスペーサ１５８（図５参照）を介在し、これによりハウジング１０７に対する防塵が図られている。
【００２８】
上記のように芝生用ブレード装置１５１を装着したときは、トリガ１０９の引き操作によって電源スイッチ１０７が投入（オン）され、これにより電動モータ１１１が通電駆動されると、ピニオン１１５から中間大ギア１２３および中間小ギア１２４を介して従動ギア１２６が水平面内にて回転され、これに伴いカム装置１３１の各偏心カム１３３，１３５，１３７が共に水平面内を回転運動される。従って、中間偏心カム１３５および下部偏心カム１３７に係合する上下のブレード１５２，１５３は、連結ピン１５５を回動中心として互いに逆方向（逆位相で）に水平揺動往復運動を行い、上側のブレード１５２の切刃１５２ａと、下側のブレード１５３の切刃１５３ａ間に被切断物としての芝を挟んで切断する。このとき、上下のブレード１５２，１５３の基部側は、中間偏心カム１３５および下部偏心カム１３７の偏心量Ｅ２の２倍の移動量で揺動され、切刃側は連結ピン１５５と偏心カム１３３，１３５，１３７の回転中心までの距離と、連結ピン１５５から切刃１５２ａ，１５３ａまでの距離との比率で決まる移動量で移動することとなる。
【００２９】
以上のように、本実施の形態では、生垣用ブレード装置１４１と芝生用ブレード装置１５１を交換することによって、生垣の刈り込み作業と芝生の刈り込み作業に供し得る両刃駆動式のヘッジトリマー１００において、上、中、下の３枚の偏心カム１３３，１３５，１３７によってカム装置１３１を構成するとともに、従動ギア１２６に対する各偏心カム１３３，１３５，１３７の取付位置を変位可能とし、そして３枚の偏心カム１３３，１３５，１３７のうちの中間偏心カム１３５を、生垣用および芝生用の両ブレード１４１，１５１に対して共用する構成としたものである。これによって、偏心カムを含めてブレードユニット構造としていた従来のヘッジトリマーに比べてカム数を削減できる。その結果、構造の簡素化、コストの低減、あるいは軽量化を図る上で有効なヘッジトリマー１００が提供されることとなった。
【００３０】
また偏心カム１３３，１３５，１３７の取付位置を変える方式としたことで、生垣用に適した偏心量Ｅ１、芝生用に適した偏心量Ｅ２をそれぞれ確保し、生垣用ブレード装置１４１、芝生用ブレード装置１５１のそれぞれに好適な移動量（変位量）を与えることができる。このため、専用機と同等の性能を維持しつつ生垣用と芝生用の異なる２つの刈り込み作業を効率的に遂行できる。
【００３１】
また本実施の形態によれば、主にカム装置１３１を設計変更することで、生垣と芝生との異なる２種の刈り込み作業に適用し得るヘッジトリマー１００を提供できるため、現行の生垣の刈り込み作業用として設計されたヘッジトリマーをベースにして、生垣用および芝生用の兼用タイプのヘッジトリマー１００を容易に製作することができる。生垣用ブレード装置１４１および芝生用ブレード装置１５１は、共にユニット構造であり、その交換作業を簡便に行うことができる。このため、生垣の刈り込み作業から芝生の刈り込み作業への変更あるいは芝生の刈り込み作業から生垣の刈り込み作業への変更は、ブレード１４１，１５１の交換作業と、カム装置１３１の取付位置の変換作業によって簡単に対応でき、使用者の使い勝手が低下することもない。
【００３２】
なお本実施の形態では、３枚の偏心カム１３３，１３５，１３７を接合ピン１３９によって接合して一体状となし、それら全体を第２支軸１２５の取付軸部１２７に嵌め変えることで取付位置を変位する構成としたが、３枚の偏心カム１３３，１３５，１３７のうち、少なくとも生垣用ブレード装置１４１と芝生用ブレード装置１５１の駆動に共用する中間偏心カム１３５の取付位置を変位すれば本発明は成立する。
また本実施の形態では、３枚の偏心カム１３３，１３５，１３７を接合ピン１３９によって接合したが、各偏心カム１３３，１３５，１３７を１つの素材を加工することで一体に形成してもよい。また従動ギア１２６に対する各偏心カム１３３，１３５，１３７の取り付けは、ネジを用いてもよい。また生垣用ブレード装置１４１および芝生用ブレード装置１５１は、ユニット構造でなくともよい。
【図面の簡単な説明】
【００３３】
【図１】本実施の形態に係るヘッジトリマーの全体構成を示す側断面図であり、生垣用ブレード装置を装着した場合を示す。
【図２】同じくヘッジトリマーの側断面図であり、カム装置を図１の示す状態から概ね９０度回転させた状態を示している。
【図３】生垣用ブレード装置を装着した状態のヘッジトリマーの一部切断底面図である。
【図４】生垣の刈り込み作業に用いる場合のカム装置の取り付けを説明する図である。
【図５】芝生用ブレード装置を装着した状態のヘッジトリマーの側断面図である。
【図６】芝生用ブレード装置を装着した状態のヘッジトリマーの一部切断底面図である。
【図７】芝生の刈り込み作業に用いる場合のカム装置の取り付けを説明する図である。
【図８】カム装置を説明するための底面側から見た図である。
【符号の説明】
【００３４】
１００  ヘッジトリマー
１０１  本体部
１０３  ハウジング
１０５  ハンドル
１０７  電源スイッチ
１０９  トリガ
１１１  電動モータ
１１３  出力軸
１１５  ピニオン
１２１  回転駆動装置
１２２  第１支軸
１２３  中間大ギア
１２４  中間小ギア
１２５  第２支軸
１２６  従動ギア（回転部材）
１２７  取付軸部
１３１  カム装置
１３３  上部偏心カム（第１のカム）
１３４  第１取付孔（第１の位置）
１３５  中間偏心カム（第２のカム）
１３６  第２取付孔（第２の位置）
１３７  下部偏心カム（第３のカム）
１３９  接合ピン
１４１  生垣用ブレード装置（両刃駆動式ブレード装置）
１４２，１４３  上下のブレード（一対のブレード）
１４２ａ，１４３ａ  切刃
１４２ｂ，１４３ｂ  長円孔
１４４，１４５  ガイドプレート
１４６  スリーブ
１４７  ネジ
１４８  ナット
１４９  取付ネジ
１５１  芝生用ブレード装置（両刃駆動式ブレード装置）
１５２，１５３  上下のブレード（一対のブレード）
１５２ａ，１５３ａ  切刃
１５２ｂ，１５３ｂ  長円孔
１５４  ガイドプレート
１５５  連結ピン
１５６  アンダーカバー
【図１】
2005341885.tif 000003
【図２】
2005341885.tif 000004
【図３】
2005341885.tif 000005
【図４】
2005341885.tif 000006
【図５】
2005341885.tif 000007
【図６】
2005341885.tif 000008
【図７】
2005341885.tif 000009
【図８】
2005341885.tif 000010